(57)【要約】【課題】長期間繰り返し使用しても気密性が低下することがなく、ウェットワイパーの乾燥を防止し、かつ、ウェットワイパー取出時の安定性が高いウェットワイパー収納容器を提供する。【解決手段】本発明のウェットワイパー収納容器１００は、上面に開口部１０を有し、前後に長手方向をもつ容器本体１と、容器本体１の上面の後端側にヒンジ部８を介して設けられ、前端側へ開閉可能な蓋体２と、開口部１０の全周に設けられ、外径と内径をもつ中空状のパッキン５と、を備え、容器本体１が、開口部１０の全周を囲う第１リブ３と、一定の間隙３４を隔てて第１リブ３の全周を囲う第２リブ４とを有し、蓋体２が、間隙３４に対向するように第１リブ３の全周を囲う第３リブ６と、第１リブ３よりも内側で開口部１０の全周を囲う第４リブ７と、を有し、パッキン５が間隙３４に嵌合されており、蓋体２が閉鎖されたとき、第３リブ６によって押圧される。【選択図】図２
2016141409.tif 000002
【特許請求の範囲】
【請求項１】
上面に開口部を有し、前後に長手方向をもつ容器本体と、
前記容器本体の上面の後端側にヒンジ部を介して設けられ、前端側へ開閉可能な蓋体と、
前記開口部の全周に設けられ、外径と内径をもつ中空状のパッキンと、を備え、
前記容器本体が、前記開口部の全周を囲う第１リブと、一定の間隙を隔てて前記第１リブの全周を囲う第２リブとを有し、
前記蓋体が、前記間隙に対向するように前記第１リブの全周を囲う第３リブと、前記第１リブよりも内側で前記開口部の全周を囲う第４リブと、を有し、
前記パッキンが前記間隙に嵌合されており、前記蓋体が閉鎖されたとき、前記第３リブによって押圧されることを特徴とするウェットワイパー収納容器。
【請求項２】
前記パッキンの前記外径が１．８ｍｍ以上２．９ｍｍ以下の寸法を有することを特徴とする請求項１に記載のウェットワイパー収納容器。
【請求項３】
前記パッキンの前記内径が前記外径の７０％以上８０％以下の寸法を有することを特徴とする請求項１又は２に記載のウェットワイパー収納容器。
【請求項４】
前記間隙が前記パッキンの前記外径の８０％以上９３％以下の幅を有することを特徴とする請求項１から３のいずれか１項に記載のウェットワイパー収納容器。
【請求項５】
前記パッキンが、前記蓋体の閉鎖に伴い前記第３リブによって押圧されたとき、径方向に前記外径の２０％以上３０％以下の変形量を有することを特徴とする請求項１から４のいずれか１項に記載のウェットワイパー収納容器。
【請求項６】
前記パッキンがシリコーン樹脂、エラストマー樹脂及びウレタン樹脂からなる群から選択される１つをもって形成されることを特徴とする請求項１から５のいずれか１項に記載のウェットワイパー収納容器。
【請求項７】
前記パッキンがシリコーン樹脂をもって形成されることを特徴とする請求項６に記載のウェットワイパー収納容器。
【請求項８】
前記容器本体が、前記上面の高さについて、後端側よりも前端側において低く形成されていることを特徴とする請求項１から７のいずれか１項に記載のウェットワイパー収納容器。
【請求項９】
前記容器本体が、底面の内側の高さについて、後端側よりも前端側において高く形成されていることを特徴とする請求項１から８のいずれか１項に記載のウェットワイパー収納容器。
【請求項１０】
前記蓋体が前端側に前記容器本体に係合する固定部を有することを特徴とする請求項１から９のいずれか１項に記載のウェットワイパー収納容器。
【発明の詳細な説明】
【技術分野】
【０００１】
本発明は、清掃用のウェットワイパーを収納する収納容器に関する。
【背景技術】
【０００２】
キッチンやトイレ周辺の清掃に使用されるウェットワイパー（ウェットシートともいう。）については、木材パルプを主成分としたいわゆる腰のあるシートが適しており、ほぼ手のひらサイズの矩形状に折り畳まれているものが広く使用されている。このようなウェットワイパーは、清掃を簡便にするために予め水、アルコールなどの洗浄用の薬液が含浸されている。このため、使用者はウェットワイパーを包装から取り出し、専用の収納容器に詰め替えながら使用している。
【０００３】
ウェットワイパーの収納容器としては、特許文献１は、容器本体の開口周縁部が蓋体の下方周縁部の内面に嵌め込み可能とした収納容器に、矩形のウェットワイパーを平置きで積層して収納し、上側のウェットワイパーから順に取り出す容器を開示している。また、特許文献２は、容器本体の開口部の周縁部に設けた溝部に蓋部の周縁部が嵌入して密封する収納容器に、ウェットワイパーを後面部に寄り掛かるように立てて収容し、前面部から順にウェットワイパーを取り出す収納容器を開示している。
【０００４】
しかしながら、特許文献１のような容器本体と蓋体を嵌め込む構造の収納容器では、開口部全周を均一な力で密封することは難しい。気密性を高めるために容器本体と蓋体との嵌合をきつくすると、蓋体の開閉に大きな力を要し清掃中にウェットワイパーを１枚ずつ取り出して使用するのが不便になる。また、ウェットワイパーを平置きに積層して収納しているため、１枚ずつ取り出し難いことや、残数の直感的な把握に難があるという問題が生じる。
【０００５】
また、特許文献２のような収納容器を詰替え用として長期間繰り返し使用した場合、蓋体の開閉が繰り返されることにより容器本体が磨耗、変形すると、容器本体と蓋体の嵌合が緩み収納容器の気密性が保てなくなる。この点、ウェットワイパーは一般的には１か月に１パック（シート１０枚）程度が消費されるが、気密性が保てなくなると、保管している間にウェットワイパーに含浸されている水分やアルコール等の揮発成分の一部が蒸発してしまい、１か月後には汚れ落ちが悪くなったり、ひどい場合にはカラカラに乾ききってしまったりという問題が生じる。
【０００６】
さらには、特許文献１及び２ともに、蓋体の開閉が容器本体の長辺側で行われるものであり、容器本体の奥行きが小さいものとなっている。したがって、収納されているウェットワイパーの残り枚数が少なくなったり、乾燥が進んで収納されているウェットワイパーの重量が軽くなったりすると、蓋体を大きく開放した場合に、容器本体が後に転倒するという問題が生じる。そして、転倒を回避するために蓋体の開閉角度に余裕がないと、ウェットワイパーが取り出し難くなるという問題が生じる。
【先行技術文献】
【特許文献】
【０００７】
【特許文献１】特開２００４−３２９３８２号公報
【特許文献２】特開２００７−１１２４５７号公報
【発明の概要】
【発明が解決しようとする課題】
【０００８】
本発明は、このような事情に鑑みてなされたものであり、長期間繰り返し使用しても気密性が低下することがなく、ウェットワイパーの乾燥を防止し、かつ、ウェットワイパー取出時の安定性が高いウェットワイパー収納容器を提供することを目的とする。
【課題を解決するための手段】
【０００９】
上記課題を解決するために、本発明は、以下の構成によって把握される。
（１）本発明のウェットワイパー収納容器は、上面に開口部を有し、前後に長手方向をもつ容器本体と、容器本体の上面の後端側にヒンジ部を介して設けられ、前端側へ開閉可能な蓋体と、開口部の全周に設けられ、外径と内径をもつ中空状のパッキンと、を備え、容器本体が、開口部の全周を囲う第１リブと、一定の間隙を隔てて第１リブの全周を囲う第２リブとを有し、蓋体が、間隙に対向するように第１リブの全周を囲う第３リブと、第１リブよりも内側で開口部の全周を囲う第４リブと、を有し、パッキンが間隙に嵌合されており、蓋体が閉鎖されたとき、第３リブによって押圧されることを特徴とする。
【００１０】
（２）上記（１）の構成において、パッキンの外径は、１．８ｍｍ以上２．９ｍｍ以下の寸法を有してもよい。
【００１１】
（３）上記（１）又は（２）の構成において、パッキンの内径は、外径の７０％以上８０％以下の寸法を有してもよい。
【００１２】
（４）上記（１）から（３）のいずれかの構成において、間隙は、パッキンの外径の８０％以上９３％以下の幅を有してもよい。
【００１３】
（５）上記（１）から（４）のいずれかの構成において、パッキンは、蓋体の閉鎖に伴い第３リブによって押圧されたとき、径方向に外径の２０％以上３０％以下の変形量を有してもよい。
【００１４】
（６）上記（１）から（５）のいずれかの構成において、パッキンは、シリコーン樹脂、エラストマー樹脂及びウレタン樹脂からなる群から選択される１つをもって形成されてもよい。
【００１５】
（７）上記（６）の構成において、パッキンは、シリコーン樹脂をもって形成されてもよい。
【００１６】
（８）上記（１）から（７）のいずれかの構成において、容器本体は、上面の高さについて、後端側よりも前端側において低く形成されてもよい。
【００１７】
（９）上記（１）から（８）のいずれかの構成において、容器本体は、底面の内側の高さについて、後端側よりも前端側において高く形成されてもよい。
【００１８】
（１０）上記（１）から（９）のいずれかの構成において、蓋体は、前端側に容器本体に係合する固定部を有してもよい。
【発明の効果】
【００１９】
本発明によれば、長期間繰り返し使用しても気密性が低下することがなく、ウェットワイパーの乾燥を防止し、かつ、ウェットワイパー取出時の安定性が高いウェットワイパー収納容器を提供することができる。
【図面の簡単な説明】
【００２０】
【図１】本発明の第１実施形態に係るウェットワイパー収納容器であって、（ａ）は上面側から見た平面図、（ｂ）は前面から見た正面図、（ｃ）はパッキンの断面図である。
【図２】図１のウェットワイパー収納容器の蓋体の開閉状態を側面から見た断面図である。
【図３】図２のＡ部の拡大図である。
【図４】図２のＢ部の拡大図である。
【図５】本発明の第２実施形態に係るウェットワイパー収納容器であって、図２に対応する断面図である。
【発明を実施するための形態】
【００２１】
以下、添付図面を参照して、本発明を実施するための形態（以下、実施形態）について詳細に説明する。なお、実施形態の説明の全体を通して同じ要素には同じ番号を付している。
【００２２】
＜第１実施形態＞
まず、ウェットワイパー収納容器（以下、単に「収納容器」という。）１００の全体的な構成を説明する。図１に示すように、本実施形態の収納容器１００は、ウェットワイパー１０１の出し入れを行う開口部１０が上面に設けられた容器本体１と、容器本体１の後面１２にヒンジ部８を介して開閉可能に保持され開口部１０を閉鎖する蓋体２と、容器本体１と蓋体２との間の気密性を保持するパッキン５と、を備えている。図１（ａ）、図１（ｂ）では、蓋体２が閉鎖された状態を示している。容器本体１は、図１（ａ）に示すように、前後に長手方向を有しており、ここで、「前後」という場合、蓋体２が開く側を「前」と、蓋体２が容器本体１に保持されている側を「後」としている。
【００２３】
容器本体１は、前述のとおり、前後に長手方向を有しており、図１（ａ）に示すように、折り畳まれた矩形状のウェットワイパー１０１がその長辺を横向きとして縦置きに収納されている。図１（ａ）では、ウェットペーパー１０１を５枚収納している状態を示しているが、これは収納されている状態を例示するためのものであって、収納枚数が５枚に限定されるものではない。容器本体１の幅は、収納されるウェットワイパー１０１の１枚の厚さを考慮して、例えば、通常の１か月の消費量を見込んで概ね１０枚を収納できる程度に設定される。このように折り畳まれた矩形状のウェットワイパー１０１を縦置きに収納することにより、容器本体１ひいては収納容器１００全体の幅を狭くすることができ、棚などに載置する際のスペースを節約することができる。
【００２４】
しかも、ウェットワイパー１０１の長辺を横向きすなわち短辺を縦向きとして縦置きとすることから、収納容器１００の高さを低く抑制することができ、蓋体２の開閉角度を大きくとったとしても転倒することを抑制し、蓋体２を容器本体１との間で開閉する際の安定性を高く保つことができる。
【００２５】
ここで、ウェットワイパー１０１の好ましい諸元について、説明する。ウェットワイパー１０１は、木材パルプを重量９０％以上含むシートを１枚又は２〜４枚重ねしたものが用いられる。その合計の坪量は好ましくは６５〜１００ｇ／ｍ２であり、所定の大きさの矩形に裁断した後、短辺の長さが７０ｍｍ以上９０ｍｍ以下、長辺の長さが１００ｍｍ以上１５０ｍｍ以下となるように折り加工する。この寸法は、使用者の手のひらに納まり易いサイズを考慮して定められる。シートには、水、水溶液溶媒、防腐剤及び香料を含む液体を、キッチンやトイレ等の汚れの程度に応じて、シート重量に対して１．３倍以上２．０倍以下の重量を含浸させる。１．３倍を下回ると薬液がシート全体に均一に行き渡らず、汚れをきれいに落とすことが困難となり、２．０倍を上回るとシートの強度が低下したり、薬液の拭き残りの発生による二度拭きの必要が出るなどの問題がある。
【００２６】
容器本体１は、図１（ｂ）に示すように、前面１１の上縁１１ａが後面１２の上縁１２ａよりも低くなるように形成されている。そして、後述するように、容器本体１の後面１２の上縁１２ａの高さは収納されるウェットワイパー１０１の短辺の長さよりも大きく、容器本体１の前面１１の上縁１１ａの高さはウェットワイパー１０１の短辺の長さよりも低く設定されている。このようにすると、長辺を横向きにして縦置きで容器本体１に収納されているウェットワイパー１０１の前面１１側の端部は、蓋体２を開放した後、容器本体１の開口部１０よりも外側に露出することとなる。したがって、使用者が露出した端部を摘み易くなり、任意のウェットワイパー１０１を容易に取り出すことが可能となる。
【００２７】
図１（ａ）に戻り、容器本体１の前面１１は、平面視において外側に凸となる曲面に形成されている。前面１１を曲面とすることにより、収納容器１００の美粧性が高まることに加え、開口部１０が前面１１側で外側に凸に広くなるため、使用者が指によるシート取り出し動作を行う空間の余裕が生まれ、前面１１側からウェットワイパー１０１を取り出すことがさらに容易となる。前面１１を外側に凸となる曲面とする場合、前面１１に通常の粘着ラベルの貼付やシルク印刷による表示が困難になるが、円筒形に形成した伸縮性フィルムに製品表示やデザイン等を施し、容器本体１に装着することにより、容器本体１の前面１１に表示を行うことができる。伸縮性フィルムとしては、ポリエチレン、ポリウレタン、ポリ塩化ビニル等が利用できる。
【００２８】
ここで、図１（ｃ）は、パッキン５の断面の拡大図を示している。パッキン５は外径と内径をもつ中空状の断面を有しており、後述するように、この中空状の断面を活用して、容器本体１と蓋体２との間の気密性を保持する。
【００２９】
次に、収納容器１００の気密性を保持する構成について、説明する。図１（ａ）中の破線は、蓋体２に覆われた容器本体１の開口部１０周辺の構造を示している。開口部１０の周囲には鍔状の突出部１０ａが形成されており、この突出部１０ａに開口部１０の全周を囲う第１リブ３と、第１リブ３の全周を囲う第２リブ４が形成されている。そして、第１リブ３と第２リブ４を隔てるそれらの間に形成された溝状の間隙３４には、端部の無い環状のパッキン５が嵌合して取り付けられている。
【００３０】
蓋体２には開口部１０を閉鎖した状態で間隙３４に対向するように位置し、容器本体１の開口部１０全周を囲う第３リブ６が形成されている。蓋体２が閉じられると第３リブ６はパッキン５を押圧する。さらに、蓋体２には第３リブ６の内側に、第３リブ６に沿って容器本体１の開口部１０の全周を囲う第４リブ７が形成されている。
【００３１】
この第１リブ３、第２リブ４、第３リブ６、第４リブ７及びパッキン５の関係について、図２から４を参照して、さらに詳しく説明する。図２は収納容器１００を側面からみた断面図であり、蓋体２を開放したときと、閉鎖したときを示している。蓋体２を開放したときには、容器本体１の内部に長辺を横向きとして縦置きに収納されているウェットワイパー１０１は、前述のとおり、その前端（図中、左側）の上部が容器本体１から外側へ露出する。
【００３２】
蓋体２を閉鎖したときの気密性について、図２のＡ部及びＢ部を拡大して示す図３及び図４を参照して説明する。図３は収納容器１００の前端側を、図４は収納容器１００の後端側をそれぞれ示しており、容器本体１の第１リブ３と第２リブ４の間に形成された溝状の間隙３４にパッキン５が嵌合して取り付けられており、蓋体２の第３リブ６がパッキン５を押圧する。蓋体２の第４リブ７は、蓋体２が閉じられた状態で、容器本体１の側壁の延長線上に配置されている。これにより、蓋体２が閉じられると、第３リブ６がパッキン５を押圧するとともに、第４リブ７が容器本体１に当接するので、収納容器１００の気密性がさらに高まる。この構成は、容器本体１の開口部１０の全周にわたって設けられている。
【００３３】
また、第４リブ７は第３リブ６よりも下側に突出し、容器本体１の第１リブ３の内側に嵌り込むように形成されている。このため、蓋体２を開いた状態で容器本体１または蓋体２に歪みが生じても、蓋体２を閉じる際に第４リブ７が第１リブ３の内側に嵌り込みながら、第３リブ６を正確にパッキン５の上に案内する。また、第４リブ７は蓋体２を容器本体１の側壁の延長線上で支持し、蓋体２が押されてパッキン５と第３リブ６に過剰な力が加わることを防ぐ。
【００３４】
パッキン５はシリコーン樹脂、エラストマー樹脂及びウレタン樹脂からなる群から選択される弾性を有する材料により環状に形成されたものであり、耐久性の観点からは特にシリコーン樹脂が好ましい。パッキン５は、その断面が外径と内径をもつ中空状に形成されており、容器本体１の第１リブ３と第２リブ４の間に形成された間隙３４に容易に嵌合できるとともに、嵌合した後は、その外面が第１リブ３と第２リブ４の側面、間隙３４の底部に押し付けられることとなる。そして、さらに、蓋体２の閉鎖に伴い、パッキン５は蓋体２の第３リブ６によりさらに押圧されることによって変形し、第１リブ３と第２リブ４、間隙３４の底部にさらに強く押し付けられて間隙３４を封止し、収納容器１００の気密性が保持される。
【００３５】
パッキン５は、収納容器１００の諸元に合わせて寸法を設定することができるが、前述したウェットワイパー１０１のサイズから導き出される収納容器１００の諸元を想定すると、１．８ｍｍ以上２．９ｍｍ以下の外径を有することが好ましい。１．８ｍｍを下回ると押圧方向での変形可能量が小さくなり、第３リブの押圧による気密性が十分に発揮されないことがあり、２．９ｍｍを上回るとパッキンの変形量が大きくなり、パッキンを嵌合する第１リブと第２リブの間隙の必要量が拡大し、容器本体の鍔部分が肥大化することにより、容器全体の重心バランスや美粧性に影響が出る場合がある。そして、パッキン５の内径は、間隙３４に嵌合する際の容易性、嵌合された後の拡張性、第３リブ６により押圧されたときの変形性を考慮すると、外径の７０％以上８０％以下とすることが好ましい。７０％を下回るとパッキンの弾性が強くなることに起因する高反発性により蓋が締めにくくなり、８０％を上回るとパッキンの弾性が弱くなることにより、十分な気密性が発揮・長期間に渡り維持されにくくなる。そして、パッキン５は、蓋体２の閉鎖に伴い第３リブ６によって押圧されたとき、径方向に外径の２０％以上３０％以下の変形量を有することが好ましい。２０％を下回るとリブとパッキンの間に間隙ができ、密着力が弱くなり十分な気密性が発揮されにくくなり、３０％を上回るとパッキンの過剰な弾性により蓋が締めにくくなる。
【００３６】
容器本体１の間隙３４は、パッキン５の嵌合の容易性と、嵌合した後の第１リブ３及び第２リブ４への拡張性を考慮すると、パッキン５の外径の８０％以上９３％以下であることが好ましい。８０％を下回ると容器生産時のパッキン装着工程の作業性が低下し、９３％を上回るとパッキンが十分に固定されず、蓋が繰り返し開閉される過程において、外れやすくなってしまう。
【００３７】
以上のように、本実施形態では弾性を有するパッキン５が押圧されて封止が行われるため、開口部１０の全周を均一に封止することができる。また、蓋体２の開閉を繰り返し行っても、容器本体１と蓋体２の磨耗や変形によって気密性が低下することがないので、収納容器１００を長期間繰り返し使用することができる。
【００３８】
次に、本実施形態の蓋体２の開閉機構について説明する。蓋体２には容器本体１の開口部１０を覆う天板部２１と、天板部２１から連続して容器本体１の側面を覆う側板部２２が設けられている。図２及び図４に示すように、蓋体２の後面は容器本体１の後面１２にヒンジ部８により回転可能に保持されている。ヒンジ部８は第２リブ４の外側に設けられているので、開口部１０の全周を囲う第１〜第４リブの配置に影響を与えることはない。
【００３９】
蓋体２の前面側の側板部２２の横方向中央には、容器本体１に設けられた突起部１０ｂと係合して蓋体２を固定する固定部９が設けられている。図２に示すようにヒンジ部８を回転軸として、開いた蓋体２を閉じて開口部１０を閉鎖すると、図３に示すように前面側の側板部２２の内側に設けられた固定部９が、容器本体１に設けられた突起部１０ｂと係合する。固定部９は容器本体１に設けられた突起部１０ｂと係合して、蓋体２が開く方向に回転することを規制するので、第３リブ６がパッキン５を押圧した状態が保持される。蓋体２を開く場合は、側板部２２の端部Ｐ３を外側に押し広げれば、固定部９の係合が解除され蓋体２を開くことができる。
【００４０】
蓋体２を開くために使用者が側板部２２の端部Ｐ３を外側に押し広げる方向に力を加えると、端部Ｐ３に加わる力によって、天板部２１と側板部２２を結ぶ最大屈曲点に対応する部分Ｐ１で変形し、固定部９の係合が解除される。この端部Ｐ３に加わる力によって蓋体２が変形する点Ｐ１（固定部９の係合を解除する際に蓋体２が変形する点）、固定部Ｐ２、端部Ｐ３は、縦方向のＰ１からＰ２までの蓋体２の表面に沿った距離Ａに対して、Ｐ２からＰ３まで蓋体２の表面に沿った距離Ｂが、１．４Ａ≦Ｂとなるように設定することが好ましい。距離Ｂを距離Ａの１．４倍以上とすることにより、固定部９の係合を少ない力で解除して蓋体２を開けることができ、清掃中にウェットワイパーの取り出しを楽に行える。
【００４１】
また、ヒンジ部８を回転軸とする蓋体２の開閉角度は、９０°以上１３５°以下とすることが好ましい。９０°を下回ると、収納容器１００からウェットワイパー１０１を取り出し難くなり、１３５°を上回ると、蓋体２の重さで収納容器１が転倒する可能性が出てくる。
【００４２】
＜第２実施形態＞
次に、本発明に係る第２実施形態について、説明する。第２実施形態では、図５に示すように、容器本体１の底面１３の内側が後面１２側よりも前面１１側において高くなるように形成されている。その他の点は第１実施形態と同様である。ここでは、底面１３の厚さが後面１２側よりも前面１１側において厚くなるように底面１３の内側をスロープ状に形成した例を示しているが、底面１３の内側が後面１２側よりも前面１１側において高くなるようにする態様についてはこれに限定される必要はない。例えば、底面１３の内側を前面１１側が高くなる階段状に形成してもよいし、底面１３の内側の前面１１側に山状の凸部を設けてもよい。
【００４３】
なお、このように容器本体１の底面１３の内側が後面１２側よりも前面１１側において高くなるように形成することは、図５に示すように、第１実施形態における、容器本体１の上面が後面１２側よりも前面１１側が低く設定されている態様と組み合わせてもよいし、例えば容器本体１をデザイン的観点から種々の形状に変形しようとするときには、第１実施形態とは異なる、上面が後面１２側と前面１１側とが同じ高さに設定されている態様と組み合わせてもよい。
【００４４】
第２実施形態によれば、容器本体１の前面１１側が後面１２側よりも相対的に重くなり、蓋体２を大きく開放したとしても、第１実施形態よりも容器本体１は転倒し難くなる。ヒンジ部８を回転軸とする蓋体２の開閉角度は、９０°以上１６０°以下とすることが可能となる。
【００４５】
以上、本発明を実施の形態に基づき説明したが、本発明は実施の形態例に限定されるものではなく、その要旨を逸脱しない範囲で種々変更が可能である。
【符号の説明】
【００４６】
１            容器本体
１０          開口部
１０ａ        突出部
１０ｂ        突起部
１１          前面（容器本体の）
１１ａ        上縁（前面の）
１２          後面（容器本体の）
１２ａ        上縁（後面の）
１３          底面（容器本体の）
２            蓋体
２１          天板部（蓋体の）
２２          側板部（蓋体の）
３            第１リブ
３４          間隙
４            第２リブ
５            パッキン
６            第３リブ
７            第４リブ
８            ヒンジ部
９            固定部
１００        ウェットワイパー収納容器（又は、単に「収納容器」）
１０１        ウェットワイパー
【図１】
2016141409.tif 000003
【図２】
2016141409.tif 000004
【図３】
2016141409.tif 000005
【図４】
2016141409.tif 000006
【図５】
2016141409.tif 000007